(57)【要約】      （修正有）【課題】より軽量で、容易に交換することができるスパイク金具を備えたスパイクシューズを提供する。【解決手段】複数の個別に独立した棒状のスパイク金具１１を有したスパイクシューズであって、スパイク金具は、アウトソール１５に埋設される管状の固定部材１２と、固定部材に固定され、アウトソール表面に突出して配置される棒状のスパイク金具本体１３とを備え、固定部材はスパイク金具本体を着脱可能に挿入固定しうる固定部１４を有し、スパイク金具本体は、固定部へ挿入される挿入部１６と、上記挿入部に延設され、アウトソール表面に突出するスパイク突起部１７とを有する。【選択図】図２
0003110935.tif 000002
【実用新案登録請求の範囲】
【請求項１】
複数の個別に独立した棒状のスパイク金具を有したスパイクシューズであって、上記スパイク金具は、アウトソールに埋設される管状の固定部材と、上記固定部材に固定され、アウトソール表面に突出して配置される棒状のスパイク金具本体とを備え、
上記固定部材はスパイク金具本体を着脱可能に挿入固定しうる固定部を有すると共に、上記スパイク金具本体は、上記固定部へ挿入される挿入部と、上記挿入部に延設され、上記アウトソール表面に突出するスパイク突起部とを有することを特徴とするスパイクシューズ。
【請求項２】
上記固定部は円筒状空隙部により形成されると共に内周面にはネジ部が形成され、上記挿入部は上記固定部の内周面に形成されたネジ部に歯合しうるネジ部を有することを特徴とする請求項１記載のスパイクシューズ。
【請求項３】
上記挿入部と上記スパイク突起部との間には、上記挿入部が上記固定部材の固定部に固定された場合には、上記固定部と上記挿入部との接合部位を被覆しうる固定用フランジ部とを有することを特徴とする請求項１又は２記載のスパイクシューズ。
【請求項４】
上記固定部材の基端部には埋設用フランジ部が形成されていることを特徴とする請求項１〜３記載のスパイクシューズ。
【請求項５】
上記スパイク金具本体は金属により形成され、上記スパイク突起部の先端部には熱処理として特殊焼入れが施されていることを特徴とする請求項１〜４記載のスパイクシューズ。
【請求項６】
上記スパイク突起部は円柱状に形成され、先端部に至るに従って収縮するテーパが付与されていることを特徴とする請求項１〜５記載のスパイクシューズ。
【考案の詳細な説明】
【技術分野】
【０００１】
本考案はスパイクシューズに係り、特に、全体としての重量が軽く、各種スポーツにおいて使用されうるスパイクシューズに関する。
【背景技術】
【０００２】
図３に示すように、従来のスパイクシューズ４０に用いられるスパイク金具４１は、スパイクシューズ４０のアウトソール４２の表面において、アウトソール４２の前部４３、後部４４及び中間部４５において、夫々、アウトソール４２の表面の所定面積を占有するフレーム状部材により形成され、フレーム部４６と、このフレーム部４６の各端部においてアウトソールの外方 に直交して突出する爪部４７とにより構成されている。
【０００３】
即ち上記前部のスパイク金具４１ａは平面三角形状に形成され、上記中間部のスパイク金具４１ｂはアウトソールの幅歩行に配設される細長板状に形成され、上記後部のスパイク金具４１ｃは平面四角形状に形成されている。上記各フレーム部４６には複数の固定用挿入固定部４８が開設され、上記固定用挿入固定部４８によりネジ又は釘の固定手段によりアウトソール４２に固定されている
【考案の開示】
【考案が解決しようとする課題】
【０００４】
このような従来のスパイク金具４１にあっては、上記各スパイク金具４１のいずれもがアウトソール４２の幅方向及び長さ方向に沿って、所定の幅寸法及び長さ寸法を有し、全体として所定の重量を有することから、スパイクシューズ４０全体が重くなり、履いて歩行した場合や走行した場合に歩行しにくさや、走行しにくさが感じられた。そこで、従来より軽いスパイクシューズが望まれていた。
【０００５】
また、従来のスパイク金具４０にあっては、上記のようにフレーム部４６においてネジ又は釘の固定手段によりアウトソール４２に固定するように構成されていたため、上記爪部４７が破損したような場合には、上記各固定用挿入固定部４８における複数のネジ又は釘による固定を解除してフレーム状部材からなるスパイク金具４１全体を交換しなければならないことから、スパイク金具４１を迅速に交換することはできない、という不具合があった。
【０００６】
そこで、本考案の課題は、より軽量で、容易に交換することができるスパイク金具を備えたスパイクシューズを提供することにある。
【課題を解決するための手段】
【０００７】
請求項１記載の考案にあっては、複数の個別に独立した棒状のスパイク金具を有したスパイクシューズであって、上記スパイク金具は、アウトソールに埋設される管状の固定部材と、上記固定部材に固定され、アウトソール表面に突出して配置される棒状のスパイク金具本体とを備え、上記固定部材はスパイク金具本体を着脱可能に挿入固定しうる固定部を有し、上記スパイク金具本体は、上記固定部へ挿入される挿入部と、上記挿入部に延設され、上記アウトソール表面に突出するスパイク突起部とを有することを特徴とする。
【０００８】
請求項２記載の考案にあっては、上記固定部は円筒状空隙部により形成されると共に内周面にはネジ部が形成され、上記挿入部は上記固定部の内周面に形成されたネジ部に歯合しうるネジ部を有することを特徴とする。
【０００９】
請求項３記載の発明にあっては、上記挿入部と上記スパイク突起部との間には、上記挿入部が上記固定部材の固定部に固定された場合には、上記固定部と上記挿入部との接合部位を被覆しうる固定用フランジ部とを有することを特徴とする。
請求項４記載の考案にあっては、上記固定部材の基端部には埋設用フランジ部が形成されていることを特徴とする。
【００１０】
請求項５記載の考案にあっては、上記スパイク金具本体は金属により形成され、上記スパイク突起部の先端部には熱処理として特殊焼入れが施されていることを特徴とする。
請求項６記載の考案にあっては、上記スパイク突起部は円柱状に形成され、先端部に至るに従って収縮するテーパが付与されていることを特徴とする。
【考案の効果】
【００１１】
請求項１記載の考案に係るスパイクシューズは、複数の個別に独立した棒状のスパイク金具を有し、従来のように、アウトソールの幅方向及び長さ方向に所定面積を占めて固定されるフレーム部材により形成されてはいないことから、スパイク金具の重量が小さくなり、スパイクシューズ全体の重量が軽くなる。
その結果、着用者は本考案に係るスパイクシューズを装用した場合に歩行や走行を行いやすく、各種のスポーツにおける運動効率を向上させることができる。
【００１２】
また、従来のようにフレーム状部材によりスパイク金具を構成するものではなく、個別の棒状のスパイク金具を複数個設けることにより、アウトソール裏面のスパイク部を構成するものであることから、従来のようにフレーム部は存在せず、アウトソールの幅方向は所定の長さ方向においてフレーム部材が足裏の動きを規制することなく、足の動きを地面に伝達することができることから、各種のスポーツにおいて足の様々な運動形態に適切に対応することができる、足の力の設置面への伝達効率に優れたスパイクシューズを提供することができる。
【００１３】
また、従来のスパイクシューズにあっては、上記フレーム部とアウトソールとの間に土が入り込みやすく、一度、入り込んだ土は除去しにくく、スパイクシューズが入り込んだ土のために重くなることがあったが、本考案にかかるスパイクシューズにおいては上記フレーム部が存在しないことから、このような土の付着の事態を防止し、常に、軽快なスパイクシューズを提供することができる。
【００１４】
請求項２記載の考案にあっては、上記固定部は円筒状空隙部により形成されると共に内周面にはネジ部が形成され、上記挿入部は上記固定部の内周面に形成されたネジ部に歯合しうるネジ部を有することから、スパイク金具本体は上記ネジ部の歯合を解除することにより容易に取り外すことができる。
従って、スパイク金具本体は固定部材に対して容易に着脱可能に固定されていることから、スパイク金具本体を交換する必要がある場合には個別に交換することができる。
【００１５】
請求項３記載の考案にあっては、上記挿入部と上記スパイク突起部との間には、上記固定部が上記固定部材の挿入固定部に固定された場合に上記固定部と上記挿入部との接合部位を被覆しうる固定用フランジ部とを有することから、スパイクシューズが使用された場合には、上記フランジ部により、上記固定部材の挿入固定部内への土の侵入を防止することができる。
【００１６】
その結果、上記固定部材とスパイク金具本体との接合部位への土の侵入が有効に阻止され、使用後所定の期間が経過した場合であっても、固定部材へのスパイク金具本体の固定状態が経年劣化する事態を防止することができる。
請求項４記載の考案にあっては、上記固定部材の基端部には埋設用フランジ部が形成されていることから、埋設用フランジ部がアウトソールに係合することによりスパイク金具全体を確実にスパイクシューズに固定することができる。
【００１７】
請求項５記載の考案にあっては、上記スパイク金具本体は金属により形成され、上記スパイク突起部の先端部には熱処理として特殊焼入れが施されていることから、スパイク突起部の硬度は非常に高く、長年使用した場合であっても、また、コンクリート等の硬い接地面上において使用した場合であっても、スパイク突起部が破損することはなく、耐久性に富んだスパイクシューズを提供することができる。
【００１８】
請求項６記載の発明にあっては、上記スパイク突起部は円柱状に形成され、先端部に至るに従って収縮するテーパが付与されていることから、地面に食い込みやすく、確実に地面を掴むことができ、各種のスポーツにおいて力を有効に接地面に伝達することができるスパイクシューズを提供することができる。
【考案を実施するための最良の形態】
【００１９】
以下、図面を用いて本考案の実施の形態について説明する。
図１に示すように、本実施形態に係るスパイクシューズ１０は、複数の個別に独立した棒状のスパイク金具１１を有している。スパイクシューズ１０のアウトソール１５の表面部において、前部、中間部、後部には、夫々、合成樹脂製のスパイク金具固定用プレート
２３がアウトソール１５に貼着され、このスパイク金具固定用プレート２３を貫通してスパイク金具１１がアウトソール１５に固定されている。
【００２０】
図２に示すように、これらのスパイク金具１１は、アウトソール１５に埋設される管状の固定部材１２と、上記固定部材１２に固定され、アウトソール１５の表面に突出して配置される横断面円形の棒状のスパイク金具本体１３とを備えている。
【００２１】
本実施の形態に係るスパイク金具１１にあっては、上記固定部材１２及びスパイク金具本体１３はいずれも金属製である。
上記固定部材１２は上記スパイク金具本体１３を着脱可能に挿入固定しうる固定部１４と、この固定部１４の基端部に設けられた埋設用フランジ部２１とにより形成されている。
【００２２】
上記埋設用フランジ部２１は、円板状に形成され、周縁部には３本の固定用突起２５，２５，２５が上記固定部１４の軸方向と平行に配設されている。本実施の形態にあっては、固定部材１２の長さ寸法はアウトソール１５の厚さ寸法及びスパイク金具固定用プレート２３の厚さ寸法を合計した寸法と同一に形成されている。
【００２３】
上記固定部１４内には円筒状空隙部２７が形成され、内周縁部にはネジ部１９が形成され、後述のスパイク金具本体１３の挿入部１６がねじ込まれて挿入固定されるように構成されている。
従って、上記固定部材１２は、スパイクシューズ１０を製作する際には、アウトソール１５の裏面側からアウトソール１５の所定箇所に設けられた孔部に圧入し、上記固定用突起２５，２５，２５によりアウトソール１５に固定するものであり、アウトソール１５に固定された場合には、アウトソール１５の表面側に、スパイク金具固定用プレート２３上において上記固定部１４の開口部２６が開口して配置される。
【００２４】
一方、上記スパイク金具本体１３は、上記固定部１４へ挿入される挿入部１６と、上記挿入部１６に延設され、上記アウトソール１５の表面に突出するスパイク突起部１７とを有している。
上記挿入部１６は同一径の円柱状に形成されると共に、上記固定部材１２の固定部１６の深さ寸法と同一の長さ寸法に形成されていると共に、周面部には上記固定部１４に形成されたネジ部１９に歯合しうるネジ部１８が刻設されている、
【００２５】
上記スパイク突起部１７は全体として、上記挿入部１６よりも径大に形成され、基端部側から先端部側に向かって収縮するテーパが付与されている。
また、基端部にはナット部２４が形成され、スパイク金具本体１３を固定部材１１の孔部１４にねじ込み固定する場合に、レンチ等の締め付け工具を上記ナット部２４に係合させて締め付け、強固に固定できると共に、スパイク金具本体１３を固定部材１２から取り外す際にも、同様に、レンチ等の締め付け金具により容易に取り外すことができるように構成されている。
【００２６】
上記挿入部１６と上記スパイク突起部１７との間には、円板状の固定用フランジ部２０が設けられ、上記挿入部１６が上記固定部材１２の固定部１４にねじ込み固定された場合には、合成樹脂製のスパイク金具固定用プレート２３の表面に圧接して、上記挿入部１６と上記固定部材の固定部１４との間を被覆するように構成されている。
そして、上記スパイク突起部１７の先端部２２には熱処理としての特殊焼入れが施されている。
【産業上の利用可能性】
【００２７】
本考案はスパイク、特に野球、陸上競技、ゴルフ等のスポーツ用の靴のアウトソールに固着されるスパイクに適用可能である。
【図面の簡単な説明】
【００２８】
【図１】本考案に係るスパイクシューズに係る一実施例を示す斜視図である。
【図２】本考案スパイクシューズの一実施例であって、使用されるスパイク金具本体の側面図及び固定部材の一部断面図である。
【図３】従来のスパイクシューズの一例を示す斜視図である。
【符号の説明】
【００２９】
１０  スパイクシューズ
１１  スパイク金具
１２  固定部材
１３  スパイク金具本体
１４  固定部
１５  アウトソール
１６  挿入部
１７  スパイク突起部
１８  ネジ部
１９  ネジ部
２０  固定用フランジ部
２１  埋設用フランジ部
２２  先端部
２４  ナット部
２５  固定用突起
２６  開口部
４０  スパイクシューズ
４１  スパイク金具
４２  アウトソール
４３  前部
４４  後部
４５  中間部
４６  フレーム部
４７  爪部
４８  固定用挿入固定部
【図１】
0003110935.tif 000003
【図２】
0003110935.tif 000004
【図３】
0003110935.tif 000005